(57)【要約】      （修正有）【課題】容易に、組み合わせと組み替えができる安価なスタンプを提供する。【解決手段】複数のスタンプが一体に組み合わされて構成されるスタンプユニットに用いられるスタンプであって、印面３が設けられた非磁性体からなる台部材２を備え、台部材は、印面と対向する対向面２ｂと対向面以外の側面２ｃａ，２ｃｂ，２ｄを備え、該側面のうち、組み合わせで他のスタンプに対向する対向側面２ｃａに一対のマグネットＭ１，Ｍ２が所定の間隔をおいて配置される。【選択図】図１
0003207487.tif 000002
【実用新案登録請求の範囲】
【請求項１】
複数のスタンプが一体に組み合わされて構成されるスタンプユニットに用いられるスタンプであって、印面が設けられた非磁性体からなる台部材を備え、該台部材は、印面と対向する対向面と該対向面以外の側面を備え、該側面のうち、組み合わせで他のスタンプに対向する対向側面に一対のマグネットが所定の間隔をおいて配置されたことを特徴とするスタンプ。
【請求項２】
前記側面は、大きさの異なる複数の側面部を備え、前記一対のマグネットが配置された前記対向側面は、複数の側面部のうちの大きな側面部であることを特徴とする請求項１に記載のスタンプ。
【請求項３】
前記大きな側面部は平面を有しており、前記マグネットの吸着面と同一面であることを特徴とする請求項１又は２に記載のスタンプ。
【請求項４】
前記台部材は直方体であり、前記マグネットは前記対向側面において対角に配置されることを特徴とする請求項１乃至３のいずれか１項に記載のスタンプ。
【請求項５】
前記台部材は樹脂製で、印影の表す情報の種類に対応した色やラメ模様によって識別可能に構成されることを特徴とする請求項１乃至４のいずれか１項に記載のスタンプ。
【請求項６】
前記組み合わせで他のスタンプに対し非対向となる側面には、透かし模様、色入れ、ラインストーン、ラメ模様のうち少なくともいずれか一つにより表される図柄や、図柄を象ったパーツによる装飾が施されている請求項１乃至５のいずれか１項に記載のスタンプ。
【請求項７】
前記他のスタンプは、前記透かし模様に応じて単色又は多色に色入れなされた対向側面、又は前記印影の表す情報の種類に対応した色やラメ模様によって識別可能に構成された対向側面を有することを特徴とする請求項５又は請求項６に記載のスタンプ。
【考案の詳細な説明】
【技術分野】
【０００１】
本考案は、印影を形成するため、例えば、住所、氏名、社名などの情報を設けた印面が備えられたスタンプに関する。
【背景技術】
【０００２】
従来のこの種のスタンプ１０ａ，１０ｂは、図７（ａ）に示すように、例えば木製や樹脂製で直方体形状の台部材１１を備える。該台部材１１の底面１１ａには、例えば合成ゴムを板状に形成し、その表面に例えば、住所、氏名、社名などの情報を設けた印面１２を備えている。該印面１２とは反対側の台部材１１の上面１１ｂには、前記印影が印刷された所謂見出し１３が設けられている。台部材１１の側面のうち幅広の側面１１ｃには、その幅方向に延びる帯状の異極のマグネットシートＭＳ１，ＭＳ２が上下方向に複数貼着されている。具体的には、スタンプ１０の一方の側面１１ｃ全体に、Ｎ極のマグネットシートＭＳ１とＳ極のマグネットシートＭＳ２とが交互に配置されている。スタンプ１０の他方の側面１１ｃ全体に、Ｓ極のマグネットシートＭＳ２と、Ｎ極のマグネットシートＭＳ１とが交互に配置されている。
【０００３】
上記構成によれば、押印する際は、それぞれのスタンプ１０ａ，１０ｂが組み合わされたスタンプユニットとして使用される。具体的には、互いのスタンプ１０ａ，１０ｂの異極のマグネットシートＭＳ１とマグネットシートＭＳ２とを対向させることによって、互いのスタンプ１０ａ，１０ｂ同士が密接し位置ずれすることなく直方体形状に一体化された状態で押印する（特許文献１参照）。
【先行技術文献】
【特許文献】
【０００４】
【特許文献１】実開平６−９９６５号公報
【考案の概要】
【考案が解決しようとする課題】
【０００５】
ところで、前記特許文献１のスタンプ１０ａ，１０ｂは、それぞれの側面１１ｃ全体に、Ｎ極のマグネットシートＭＳ１とＳ極のマグネットシートＭＳ２とが交互に配置されているため、その分コスト高になる。また、それぞれのスタンプを組み替えて押印する場合、図７（ｂ）に示すように、幅方向に延びるマグネットシートＭＳ１，ＭＳ２同士が吸着（密着）した状態で、一方のスタンプ１０ａの側面１１ｃに対し他方のスタンプ１０ｂの側面１１ｃを、一方のスタンプ１０ａの側面１１ｃに沿って矢印の方向（上方向）にずらす必要があり、手間が掛かるという問題がある。
【０００６】
そこで、本考案は、かかる事情に鑑み、容易に、組み合わせることができるとともに組み替えることができる安価なスタンプを提供することを課題とする。
【課題を解決するための手段】
【０００７】
本考案に係るスタンプは、複数のスタンプが一体に組み合わされて構成されるスタンプユニットに用いられるスタンプであって、印面が設けられた非磁性体からなる台部材を備え、該台部材は、印面と対向する対向面と該対向面以外の側面を備え、該側面のうち、組み合わせで他のスタンプに対向する対向側面に一対のマグネットが所定の間隔をおいて配置されたことを特徴とする。
【０００８】
上記構成によれば、台部材の側面に一対のマグネットが配置されるだけであるため、従来に比して安価に製造できる。また、数種類のスタンプを組み合わせる場合、互いのスタンプのマグネットを対向させるだけで容易に組み合わせることができる。また、数種類のスタンプを組み替える場合、互いのスタンプの対向側面を位置ずれさせることで、対向する一対のマグネット同士の吸着を容易に解除することで組み替えできる。
【０００９】
また、本考案の一態様として、前記側面は、大きさの異なる複数の側面部を備え、前記一対のマグネットが配置された前記対向側面は、複数の側面部のうちの大きな側面部であることが好ましい。
【００１０】
上記構成によれば、複数の側面部のうちの大きな側面部であるため、一対のマグネットを配置しやすい。
【００１１】
また、本考案の他態様として、前記大きな側面部は平面を有しており、前記マグネットの吸着面と同一面であることが好ましい。
【００１２】
上記構成によれば、互いのスタンプを異なる方向に移動するように外部から力を加えて、互いのスタンプの側面部の平面同士を滑らせることでマグネット同士による吸着を容易に解除できる。また、数種類のスタンプを組み合わせる場合、互いに対向する側面部を密接させた状態でスタンプユニットを容易に構成することができる。
【００１３】
また、本考案の他態様として、前記台部材は直方体であり、前記マグネットは前記対向側面において対角に配置されることが好ましい。
【００１４】
上記構成によれば、互いのスタンプを異なる方向に回転させることができ、これにより、マグネット同士による吸着を容易に解除することができる。
【００１５】
また、本考案の他態様として、前記台部材は樹脂製で、印影の表す情報の種類に対応した色によって識別可能に構成されることが好ましい。
【００１６】
上記構成によれば、数種類のスタンプが印影の示す情報の種類に応じて識別できる。具体的に、前記情報として例えば住所が設けられた印面を有するスタンプと、氏名が設けられたスタンプとを台部材の色を異ならせて識別することで、組み合わされているスタンプの内容を色によって把握できる。
【００１７】
また、本考案の他態様として、前記対向側面とは反対側の非対向側面には、透かし模様、色入れ、ラインストーン、ラメ模様のうち少なくともいずれか一つにより表される図柄や、図柄を象ったパーツによる装飾が施されていることが好ましい。
【００１８】
上記構成によれば、スタンプ単体であっても、スタンプを組み合わせても、非対向面側に施された装飾を外観視でき、目立つようになり、商品としてのスタンプの宣伝効果が向上する。また、前記スタンプを所有することで、個人が使用するための識別性が高くなる。また、前記装飾によって、住所、会社名、注意事項などの無味乾燥な印影が押印されるスタンプであっても、スタンプに華やかさや楽しさを添えることで洒脱になり、購買意欲を向上させられる。
【００１９】
また、本考案の他態様として、前記他のスタンプは、前記透かし模様に応じて単色又は多色に色入れなされた対向側面、又は前記印影の表す情報の種類に対応した色やラメ模様によって識別可能に構成された対向側面を有することが好ましい。
【００２０】
上記構成によれば、透かし模様を有するスタンプに、透かし模様に応じて単色又は多色に色入れなされた対向側面、又は前記印影の表す情報の種類に対応した色やラメ模様によって識別可能に構成された対向側面を有する他のスタンプを組み合わせることで、透かし模様から他のスタンプの色やラメ模様が透けて見えるようになり、識別性がより向上するとともに、より一層洒脱になる。
【考案の効果】
【００２１】
以上の如く本考案によれば、容易に、組み合わせることができるとともに組み替えることができる安価なスタンプを提供することができる。
【図面の簡単な説明】
【００２２】
【図１】図１（ａ）は、本考案の一実施形態に係るスタンプを示した斜視図、図１（ｂ）は、側面部に形成された凹部と、該凹部に埋設されたマグネットとを示した断面図である。
【図２】図２は、複数のスタンプが組み合わされて構成されたスタンプユニットの使用態様を示した斜視図である。
【図３】図３は、組み合わせた一対のスタンプを互いに異なる方向に回転させて、マグネット同士の吸着を解除する態様を示した側面図である。
【図４】図４は、押印する際に使用するスタンプの定規を示した平面図である。
【図５】図５は、スタンプの非対向側面にリボンや水玉の透かし模様を施したスタンプを示した斜視図である。
【図６】図６は、スタンプの非対向側面に花びらや葉の透かし模様を施したスタンプを示した正面図である。
【図７】図７（ａ）は、従来のスタンプを示した斜視図、図７（ｂ）は、従来のスタンプの使用態様を示した側面図である。
【考案を実施するための形態】
【００２３】
以下、本考案の一実施形態に係るスタンプについて図面を参照しつつ説明する。なお、図１（ａ）では、住所の印影が施された印面３を有するスタンプ１ａと、社名が施された印面３を有するスタンプ１ｂとが例示され、図２では、前記スタンプ１ａ，１ｂと、代表者の氏名の施された印面３を有するスタンプ１ｃと、電話番号が施された印面３を有するスタンプ１ｄとが例示されている。
【００２４】
本実施形態に係るスタンプ１ａ〜１ｄは、図１（ａ）および図２に示すように、例えば四角柱（直方体）の台部材２を備える。具体的に、台部材２は、底面２ａと、該底面２ａに対向する対向面である上面２ｂと、底面２ａ及び上面２ｂ以外の側面とを備え、該側面は、対向する２つの大きな面（平面）を有する側面部２ｃａ，２ｃｂと、該２つの大きな側面部２ｃａ，２ｃｂと隣接する２つの小さな面を有する側面部２ｄ，２ｄと、を有する。
【００２５】
底面２ａには、例えば合成ゴムを板状に形成し、その表面に印影を形成するため、例えば、スタンプ１ａは、住所の印影の施された印面３を有し、スタンプ１ｂは、社名の施された印面３を有し、スタンプ１ｃは、代表者の氏名の施された印面３を有し、スタンプ１ｄは、電話番号の施された印面３を有する。具体的に印面３は、矩形状で、前記住所などの情報が横列又は縦列に突出して配置されている。また、印面３には前記住所などの情報以外に花柄などの装飾（図示せず）が設けられる場合もある。
【００２６】
印面３を対向する対向面としての上面２ｂには、印面３により形成される印影が印刷（塗布も含む）された所謂見出し（図示せず）が設けられる。具体的に、見出しは、印面３と同様に、住所、氏名、社名などの文字が横並びに配置される。
【００２７】
２つの大きな側面部２ｃａ，２ｃｂのそれぞれには、所定の間隔をおいて一対のマグネットＭ１，Ｍ２が配置されている。具体的に、一対のマグネットＭ１，Ｍ２は、図１（ｂ）に示すように、組み合わせで他のスタンプに対向する対向側面である一方の側面部２ｃａと、非対向側面である他方の側面部２ｃｂのそれぞれに対角に配置されている。一対のマグネットＭ１，Ｍ２のそれぞれは円板形状で、両側面部２ｃａ，２ｃｂに形成された凹部４に埋設され、接着剤などによって凹部４に固着されている。また、マグネットＭ１，Ｍ２の吸着面は平面を有しており、両側面部２ｃａ，２ｃｂの表面と同一面になっている。
【００２８】
また、図２に示すように、数種類のスタンプ１を組み合わせることを考慮して、一方のスタンプ１Ａの一方の側面部２ｃａには、Ｎ極のマグネットＭ１が上側に配置されるとともに、Ｓ極のマグネットＭ２が下側に配置される。他方のスタンプ１Ｂの他方の側面部２ｃｂには、Ｓ極のマグネットＭ２が上側に配置されるとともに、Ｎ極のマグネットＭ２が下側に配置される。これにより、数種類のスタンプ１Ａ，１Ｂを組み合わせた場合、対向するマグネットＭ１，Ｍ２同士は確実に吸着し、対向する側面部２ｃａ，２ｃｂ同士は密接する。しかし、対向する側面部２ｃａ，２ｃｂ同士は互いの平面で接合することから滑りやすくなっており、図３に示すように、一方のスタンプ１Ａの側面部２ｃａに対し外部から矢印の方向（反時計方向）に９０度回転させることによって、スタンプ１ａ，１ｂのマグネットＭ１，Ｍ２による吸着を容易に解除できる。
【００２９】
つぎに組み合わせによるスタンプ１Ａ〜１Ｄの使用態様について図１〜図３を参照して説明する。例えば、図２に示すように、住所の印影が施された印面３を有するスタンプ１Ａと、社名が施された印面３を有するスタンプ１Ｂと、代表者の氏名の施された印面３を有するスタンプ１Ｃと、電話番号が施された印面３を有するスタンプ１Ｄとを組み合わせる。但し、スタンプ１Ａ〜１Ｄの台部材２は同一色のものとする。
【００３０】
具体的には、図１に示すように、互いのスタンプ１Ａ，１ＢのマグネットＭ１，Ｍ２，Ｍ２，Ｍ１が対向するように、スタンプ１Ａの一方の側面部２ｃａとスタンプ１Ｂの他方の側面部２ｃｂとを接合させた後、スタンプ１Ｂの一方の側面部２ｃａにスタンプ１Ｃの他方の側面部２ｃｂを接合させ、つぎにスタンプ１Ｃの一方の側面部２ｃａにスタンプ１Ｄの他方の側面部２ｃｂを接合させ、スタンプユニットＳを構成する。
【００３１】
組み合わせて構成されたスタンプユニットＳの複数の印面３を下側にした状態で、スタンプユニットＳの手前のスタンプ１Ａの側面部２ｃａと奥側のスタンプ１Ｄの側面部２ｃｂを指で摘んで、図示しないスタンプ台のインクに複数の印面３を押し付けて、インクを複数の印面３に付着させ、この状態で、例えば紙面に複数の印面３を押し付けて印面３に付着したインクを紙面に転写する。この際、複数のスタンプ１Ａ〜１ＤはマグネットＭ１，Ｍ２の吸着によって位置ずれすることなく整列した状態で押印できるため、印面３の印影もきれいに揃った状態で紙面に表示される。
【００３２】
なお、紙面に印面３を押し付ける際には、印影が傾いて表示されることを避けるため、図４に示す定規６の直角部位６０にスタンプユニットＳの角部をあてがいつつ行うこともできる。
【００３３】
また、組み合わされたスタンプ１Ａ〜１Ｄの一部、例えばスタンプ１Ｂを組み替える場合、まず、図３の鎖線で示す一方のスタンプ１Ａを、図３の実線示す他方のスタンプ１Ｂ〜１Ｄに対し矢印の方向（反時計方向）に９０度回転させることで、互いのマグネットＭ１，Ｍ２同士の吸着が解除され、他方のスタンプ１Ｂ〜１Ｄから取り外せる。つぎに、組み替え対象となるスタンプ１Ｂを、他方のスタンプ１Ｃ，１Ｄに対し反時計方向に９０度回転させると、他方のスタンプ１Ｃ，１Ｄから取り外せる。
【００３４】
また、スタンプユニットＳは、机上や引出し内に収納する場合、複数のスタンプ１ａ〜１ｄがきれいに整列した状態で収納できる。
【００３５】
また、スタンプユニットＳは、店頭に陳列されている場合も、複数のスタンプ１Ａ〜１Ｄがきれいに整列した状態であるため、目に入りやすく、購買意欲の向上に寄与する。
【００３６】
また、本考案のスタンプ１Ａ〜１ＤおよびスタンプユニットＳは、自ら使用するのに適するばかりでなく、贈答品とすることも適している。
【００３７】
このように、本実施形態によれば、容易に、組み合わせることができるとともに組み替えることができる安価なスタンプを提供することができる。
【００３８】
なお、本考案は、前記実施形態に限定されるものではなく、本考案の要旨を逸脱しない範囲で種々の変更が可能である。
【００３９】
例えば、前記実施形態では、一対のマグネットＭ，Ｍを対角に配置するようにしたが、例えば、中心線に沿って所定の間隔をおいて配置するようにしてもよい。
【００４０】
また、前記実施形態では、２つの大きな側面部２ｃ，２ｃのそれぞれに一対のマグネットＭ１，Ｍ２を配置するようにしたが、他のスタンプ１と対向する対向側面である側面部２ｃａのみに配置するようにしてもよい。
【００４１】
また、前記実施形態では、円板形状のマグネットＭ１，Ｍ２を使用するようにしたが、非円形状のマグネットを使用するようにしてもよい。
【００４２】
また、前記実施形態では、台部材２の素材について特に言及しなかったが、木製、樹脂製のいずれであってもよい。要は、マグネットＭ１，Ｍ２を埋設できる非磁性体の素材の台部材であればよい。
【００４３】
また、前記実施形態では、住所の印影が施された印面３を有するスタンプ１Ａと、社名が施された印面３を有するスタンプ１Ｂと、氏名の施された印面３を有するスタンプ１Ｃと、電話番号が施された印面３を有するスタンプ１Ｄとを同じ色の台部材２を組み合わせたが、印影の表す情報の種類に対応した色の台部材を使用することによって、それぞれのスタンプ１Ａ〜１Ｄについて識別性をもたせるようにしてもよい。
【００４４】
また、前記実施形態では、一対のマグネットＭ，Ｍを有するスタンプ１を例にとって説明したが、レーザー加工機で台部材２に透かし模様（貫通穴）を入れるようにしてもよい。例えば、図５に示すように、手前のスタンプ１Ａの側面部２ｃｂに、水玉の透かし模様５０を貫通穴５０ａで表現し、蝶々結びされたリボンの透かし模様５１を貫通穴５１ａで表現する。奥側のスタンプ１Ｃの側面部２ｃａに、図６に示すように、花びらの模様５２を貫通穴５２ａで表現するとともに、葉の模様５３を貫通穴５３ａで表現し、さらに、リボンを象ったパーツ７を貼り付けるとともに、該パーツ７にラインストーン８を貼り付け、水玉の透かし模様５０、リボンの透かし模様５１、花びらの透かし模様５２、葉の透かし模様５３に対応した色入れされた２つの側面部２ｃａ，２ｃａを有するスタンプ１Ｂを、両スタンプ１Ａ，１Ｃの間に挟むように組み合わせてもよい。このように、透かし模様５０，５１，５２，５３、パーツ７、ラインストーン８、ラメ模様を種々組み合わせることで、無味乾燥なスタンプ１およびスタンプユニットＳを洒脱にすることができ、個人が使用するための識別性が高くなる。また、購買意欲を向上させられる。
【符号の説明】
【００４５】
１…スタンプ、２…台部材、２ａ…底面、２ｂ…対向面（上面）、２ｃａ…対向側面（一方の大きな側面部）、２ｃｂ…非対向側面（他方の大きな側面部）２ｄ…小さな側面部、３…印面、４…凹部、５０〜５３…透かし模様、６…定規、７…パーツ、８…ラインストーン、Ｍ１，Ｍ２…マグネット、Ｓ…スタンプユニット
【図１】
0003207487.tif 000003
【図２】
0003207487.tif 000004
【図３】
0003207487.tif 000005
【図４】
0003207487.tif 000006
【図５】
0003207487.tif 000007
【図６】
0003207487.tif 000008
【図７】
0003207487.tif 000009